(57)【要約】      （修正有）【課題】洗濯物の出し入れがしやすく、使用勝手を向上させた洗濯用ネットを提供する。【解決手段】洗濯用ネットＳは、平面視で長方形又は正方形の本体１と、本体の上端縁に取り付けられた開閉ファスナー２とを備え、開閉ファスナーは、平面視で本体の上端縁の右端と左端との間を移動するものである。【選択図】図２
0003193012.tif 000002
【実用新案登録請求の範囲】
【請求項１】
平面視で長方形又は正方形の本体と、
この本体の上端縁に取り付けられた開閉ファスナーとを備え、
前記開閉ファスナーは、平面視で前記本体の上端縁の右端と前記本体の上端縁の左端との間を移動する
ことを特徴とする洗濯用ネット。
【請求項２】
本体は、平面視で長方形であり、
開閉ファスナーが取り付けられる上端縁は、前記長方形の長辺である
ことを特徴とする請求項１記載の洗濯用ネット。
【請求項３】
開閉ファスナーは、一方側のテープに取り付けられた一方側務歯と他方側のテープに取り付けられた他方側務歯をかみ合わせて行うものであり、
前記一方側のテープは、一方側の前記本体の上端縁に取り付けられ、
前記他方側のテープは、他方側の前記本体の上端縁に取り付けられ、
前記一方側の前記本体の上端縁と前記他方側の前記本体の上端縁とは、対向する位置にあり、
前記開閉ファスナーのスライダ及び前記開閉ファスナーの引き手を覆うカバー体が正面視で前記本体の上端縁の右端又は左端にあり、
前記カバー体の一端が前記一方側のテープ及び前記一方側の前記本体の上端縁に、縫製により一体的に取り付けられ、
前記カバー体の他端が前記他方側のテープ及び前記他方側の前記本体の上端縁に、縫製により一体的に取り付けられている
ことを特徴とする請求項１記載の洗濯用ネット。
【請求項４】
本体の上端縁の角部が丸みを帯びている
ことを特徴とする請求項１記載の洗濯用ネット。
【考案の詳細な説明】
【技術分野】
【０００１】
本考案は、洗濯用ネットに係り、特に、使用勝手を向上させた洗濯用ネットに関する。
【背景技術】
【０００２】
従来、例えば、洗濯用ネットがある（特許文献１参照）。この洗濯用ネットは、正面視で、長方形の短辺側の上端縁から下方の位置に開閉ファスナーがある。
【先行技術文献】
【特許文献】
【０００３】
【特許文献１】実開昭６０−１７９２８６号公報
【考案の概要】
【考案が解決しようとする課題】
【０００４】
しかしながら、上述の洗濯用ネットは、開口部が長方形の短辺側の上端縁から下方の位置にあるため、被洗濯物（図示せず）の洗濯用ネットへの出し入れがしづらく、洗濯用ネットの使用勝手が良好でないという問題点があった。
【０００５】
本考案は、上記の問題点を除去するようにした洗濯用ネットを提供することを目的とする。
【課題を解決するための手段】
【０００６】
請求項１記載の洗濯用ネットは、平面視で長方形又は正方形の本体と、この本体の上端縁に取り付けられた開閉ファスナーとを備え、前記開閉ファスナーは、平面視で前記本体の上端縁の右端と前記本体の上端縁の左端との間を移動するものである。
【０００７】
また、請求項２記載の洗濯用ネットは、請求項１記載の洗濯用ネットにおいて、本体は、平面視で長方形であり、開閉ファスナーが取り付けられる上端縁は、前記長方形の長辺である。
【０００８】
また、請求項３記載の洗濯用ネットは、請求項１記載の洗濯用ネットにおいて、開閉ファスナーは、一方側のテープに取り付けられた一方側務歯と他方側のテープに取り付けられた他方側務歯をかみ合わせて行うものであり、前記一方側のテープは、一方側の前記本体の上端縁に取り付けられ、前記他方側のテープは、他方側の前記本体の上端縁に取り付けられ、前記一方側の前記本体の上端縁と前記他方側の前記本体の上端縁とは、対向する位置にあり、前記開閉ファスナーのスライダ及び前記開閉ファスナーの引き手を覆うカバー体が平面視で前記本体の上端縁の右端又は左端にあり、前記カバー体の一端が前記一方側のテープ及び前記一方側の前記本体の上端縁に、縫製により一体的に取り付けられ、前記カバー体の他端が前記他方側のテープ及び前記他方側の前記本体の上端縁に、縫製により一体的に取り付けられているものである。
【０００９】
また、請求項４記載の洗濯用ネットは、請求項１記載の洗濯用ネットにおいて、本体の上端縁の角部が丸みを帯びているものである。
【考案の効果】
【００１０】
請求項１記載の洗濯用ネットによれば、開閉ファスナーは、平面視で本体の上端縁の右端と本体の上端縁の左端との間を移動するため、開閉ファスナーで形成される開口部は大きく、しかも、開口部は本体の上端縁に位置しているため、被洗濯物の洗濯用ネットへの出し入れがし易く、洗濯用ネットの使用勝手を向上させることができる。
【００１１】
また、請求項２記載の洗濯用ネットによれば、上述した請求項１記載の考案の効果に加え、開閉ファスナーが取り付けられる上端縁は、長方形の長辺であるため、開口部が大きい分、被洗濯物の洗濯用ネットへの出し入れがし易く、洗濯用ネットの使用勝手を向上させることができる。
【００１２】
また、請求項３記載の洗濯用ネットによれば、上述した請求項１記載の考案の効果に加え、カバー体の一端が一方側のテープ及び一方側の本体の上端縁に、縫製により一体的に取り付けられ、カバー体の他端が他方側のテープ及び他方側の本体の上端縁に、縫製により一体的に取り付けられているため、取り付けが容易であると共に、開閉ファスナーのテープの取り付け強度をも向上させることができる。
【００１３】
また、請求項４記載の洗濯用ネットによれば、上述した請求項１記載の考案の効果に加え、本体の上端縁の角部が丸みを帯びているため、角部が直角のものに比較し、洗濯用ネットの本体の上端縁の角部の損傷を受けにくい等の効果を有する。
【図面の簡単な説明】
【００１４】
【図１】図１は、本考案の一実施例の洗濯用ネットの平面視の写真である。
【図２】図２は、図１の洗濯用ネットの開閉ファスナーにより、洗濯用ネットの開口部を全開した状態の写真である。
【図３】図３は、図２の一部を拡大した状態の写真である。
【図４】図４は、図３の一部を裏返しにした状態の写真である。
【考案を実施するための形態】
【００１５】
本考案の一実施例の洗濯用ネットを図面を参照して説明する。
図１〜図４に示すＳは洗濯用ネットで、洗濯用ネットＳは、例えば、ナイロン製のネットで、平面視で長方形（又は正方形）の本体１と、この本体１の上端縁に取り付けられた開閉ファスナー２とを備えている。
開閉ファスナー２は、平面視で本体１の上端縁の右端と本体１の上端縁の左端との間を移動するようになっている（図１及び図２参照）。
【００１６】
上述した洗濯用ネットＳによれば、開閉ファスナー２は、平面視で本体１の上端縁の右端と本体１の上端縁の左端との間を移動するため、開閉ファスナー２で形成される開口部は大きく、しかも、開口部は本体１の上端縁に位置しているため、被洗濯物（図示せず）の洗濯用ネットＳへの出し入れがし易く、洗濯用ネットＳの使用勝手を向上させることができる。
【００１７】
また、本体１が、上述実施例のように、平面視で長方形であれば、下記のような効果を有する。
即ち、開閉ファスナー２が取り付けられる上端縁は、長方形の長辺であるため、開口部が大きい分、被洗濯物（図示せず）の洗濯用ネットＳへの出し入れがし易く、洗濯用ネットＳの使用勝手を向上させることができる。
【００１８】
なお、上述した開閉ファスナー２は、一方側のテープ２１に取り付けられた一方側務歯（一方側エレメント）２２と、他方側のテープ２３に取り付けられた他方側務歯（他方側エレメント）２４をかみ合わせて行うもので、一方側のテープ２１は、一方側の本体１の上端縁に取り付けられ、他方側のテープ２３は、他方側の本体１の上端縁に取り付けられている。
一方側の本体１の上端縁と他方側の本体１の上端縁とは、対向する位置にある。
【００１９】
また、３は、開閉ファスナー２のスライダ２５及び開閉ファスナー２の引き手２６を覆うカバー体で（図１及び図２参照）、カバー体３は、平面視で本体の上端縁の左端（本実施例では、カバー体３は、左端にあるが、場合により、右端に設けるようにしても良い。）にある。
カバー体３の一端３Ａが一方側のテープ２１及び一方側の本体１の上端縁に、縫製により一体的に取り付けられ、
カバー体３の他端３Ｂが他方側のテープ２３及び他方側の本体１の上端縁に、縫製により一体的に取り付けられている（図３及び図４参照。
このように、カバー体３の一端３Ａが一方側のテープ２３及び一方側の本体１の上端縁に、縫製により一体的に取り付けられ、カバー体３の他端３Ａが他方側のテープ２３及び他方側の本体１の上端縁に、縫製により一体的に取り付けられているため、取り付けが容易であると共に、開閉ファスナー２のテープ２１、２３の取り付け強度をも向上させることができる。
【００２０】
なお、本体１の上端縁の角部が、図１に示すように、丸みを帯びているため、角部が直角のものに比較し、洗濯用ネットＳの本体１の上端縁の角部の損傷を受けにくい等の効果を有する。
【符号の説明】
【００２１】
Ｓ      洗濯用ネット
１      本体
２      開閉ファスナー
【図１】
0003193012.tif 000003
【図２】
0003193012.tif 000004
【図３】
0003193012.tif 000005
【図４】
0003193012.tif 000006